(57)【特許請求の範囲】
【請求項１】
立木や浮き石が点在する傾斜面の上に、端を支持アンカーにより固定された複数の第１のワイヤロープを立木の間を縫いながら浮き石の上を通る状態に縦横に張設するとともに、これら第１のワイヤロープの交差部をクロスクリップで締結して、第１のワイヤロープを前記傾斜面の起伏に沿う状態に係止してなる落石防止装置において、更に、落石の危険のある浮き石を対象に第２のワイヤロープを縦横に、且つその端を第１のワイヤロープにクロスクリップで締結して個々に固定してなる落石防止装置。
【請求項２】
第２のワイヤロープの交差部がクロスクリップで締結されてなる請求項１に記載の落石防止装置。
【発明の詳細な説明】
【０００１】
【発明の属する技術分野】
本発明は、落石が発生し易い道路や軌道沿いなどの傾斜面に設ける落石防止装置に関するものである。
【０００２】
【従来の技術】
近年、例えば実用新案登録第 2550975号公報に提案されているように、立木および多数の浮き石が点在する傾斜面の上に、端を支持アンカーにより固定された複数のワイヤロープを立木の間を縫いながら浮き石の上を通る状態に縦横に張設し、これらワイヤロープの交差部をクロスクリップで締結し、かつこれらワイヤロープを傾斜面に打ち込んだアンカーによりその傾斜面の起伏に沿う状態に係止してなる落石防止装置が提案されている。
【０００３】
そして、上記落石防止装置によれば、浮き石の初期始動を抑えて落石の発生を確実に防止することができるとともに、立木の伐採を要することがないから、施工が簡易でかつ傾斜面を自然な状態に保て、環境破壊や美観の低下を招くことがないとされている。
【０００４】
【発明が解決しようとする課題】
上記落石防止装置は、これまでの落石防止装置において普通に使用されてきた金網を使用しないことにより、上述の如く立木を伐採せずに施工できることから、自然環境が保全される利点を有するものの、傾斜面における立木の間隔及び浮き石の形、高さ、大きさは様々であるため、ワイヤロープの交差部に取付けるアンカーを必ずしも的確な場所に打ち込むことができ難く、縦横に張設したワイヤロープだけでは浮き石を確実に固定し落石を防止することは難しい。
【０００５】
そこで、本発明は、上記の事情に着目してなしたものであって、その目的は、傾斜面における立木を伐採せず極力自然環境を保全した状態で浮き石を確実に固定し落石を防止し得る落石防止装置を提供するものである。
【０００６】
【課題を解決するための手段】
上記の目的を達成するために、本発明に係る落石防止装置（請求項１）は、立木や浮き石が点在する傾斜面の上に、端を支持アンカーにより固定された複数の第１のワイヤロープを立木の間を縫いながら浮き石の上を通る状態に縦横に張設するとともに、これら第１のワイヤロープの交差部をクロスクリップで締結して、第１のワイヤロープを前記傾斜面の起伏に沿う状態に係止してなる落石防止装置において、更に、落石の危険のある浮き石を対象に第２のワイヤロープを縦横に、且つその端を第１のワイヤロープにクロスクリップで締結して個々に固定してなるものである。このように構成すると、落石の危険のある浮き石を対象に第２のワイヤロープで個々に固定するので、第２のワイヤロープを押さえ効果の得られる位置に張設でき、傾斜面における浮き石を確実に固定し落石を防止することができる。また、第１のワイヤロープの施工が傾斜面における立木の間隔及び浮き石の形、高さ、大きさにそれほどとらわれることなく施工でき、従来にもまして施工がし易くなる上に、立木を伐採せず極力自然環境を保全した状態で施工できる。
【００１０】
そして更に、上述した落石防止装置では、第１のワイヤロープの交差部が必要により傾斜面に打ち込んだアンカーにより固定されてあってもよく、このように構成することで、交差部の浮き上がりを防止できるとともに、第２のワイヤロープを浮き石に沿って張設することができ、安定した落石防止効果が期待できる。
【００１１】
【発明の実施の形態】
以下、本発明の実施形態を図面に基づいて説明する。図１は、落石防止装置の平面図であって、ａは第２のワイヤロープを１本掛けで固定する例、ｂは第２のワイヤロープを網掛けして固定する例である。図２は、図１ａのＸ−Ｘ断面図である。
【００１２】
図において１は例えば山間部における道路沿いの傾斜面で、この傾斜面１には様々な大きさの立木２や浮き石３が点在している。
【００１３】
このような傾斜面１の上に、多数本の第１のワイヤロープ４が立木２の間を縫って縦横に張設され、これら第１のワイヤロープ４により浮き石３が押さえつけられている。そして更に、第１のワイヤロープ４による押さえつけでは不足で落石の危険のある浮き石３に対しては第２のワイヤロープ５が支持アンカー６に係止して張設されている。また、第１のワイヤロープ４のそれぞれの端は、傾斜面１に設けた支持アンカー７に係止されている。
【００１４】
上記の如き落石防止装置では、第１のワイヤロープ４による押さえつけでは押さえつけが不十分となりそうで落石の危険のある浮き石３を対象に、第１のワイヤロープ４の施工前あるいは後に、第２のワイヤロープ５とその端の支持アンカー６とでそれら落石の危険のある浮き石３を個々に固定するので、傾斜面１における浮き石３を確実に固定し落石を防止することができる。また、第１のワイヤロープ４の施工が傾斜面１における立木２の間隔及び浮き石３の形、高さ、大きさにそれほどとらわれることなく施工でき、施工がし易い上に、立木を伐採せず極力自然環境を保全した状態で施工できる。
【００１５】
なお、図において符号８は第１のワイヤロープ４の各交差部及び第１のワイヤロープ４と第２のワイヤロープ５との交差部を締着するためのクロスクリップであって、例えば図３に示すように基板９、Ｕボルト10、ナット11により構成され、このクロスクリップ８を設けることで、各交差部において各ワイヤロープ４，５同士のずれが確実に防止でき、より浮き石３を確実に固定し落石を防止することができる。
【００１６】
図４は、本発明に係る実施形態の落石防止装置の平面図である。この例の落石防止装置は、上記図１に示す落石防止装置の第２のワイヤロープ５の端を支持アンカー６に係止して張設したことに代えて第１のワイヤロープ４にクロスクリップ８により締着して張設した構成とするもので、その他の構成は上記図１に示す落石防止装置と同じ構成のものである。
【００１７】
上記の如き図２に示す構成の落石防止装置であっても、第１のワイヤロープ４による押さえつけでは押さえつけが不十分となりそうで落石の危険のある浮き石３を対象に、第１のワイヤロープ４の施工後に、第２のワイヤロープ５を第１のワイヤロープ４に締着して張設することでそれら落石の危険のある浮き石３を個々に固定できるので、傾斜面１における浮き石３を確実に固定し落石を防止することができる。また、第１のワイヤロープ４の施工が傾斜面１における立木２の間隔及び浮き石３の形、高さ、大きさにそれほどとらわれることなく施工でき、施工がし易い上に、立木を伐採せず極力自然環境を保全した状態で施工できる。
【００１８】
図５は、本発明に係る別の実施形態の落石防止装置の斜視図である。この例の落石防止装置は、広範な傾斜面１の上に、多数本の第１のワイヤロープ４が立木２の間を縫って縦横に張設され、これら第１のワイヤロープ４により浮き石３が押さえつけられている。そして更に、第１のワイヤロープ４による押さえつけでは不足で落石の危険のある浮き石３に対して第２のワイヤロープ５が、ある浮き石３に対しては上記図１に示す落石防止装置と同様の構成で支持アンカー６に係止して張設され、またある浮き石３に対しては上記図４に示す落石防止装置と同様の構成で第１のワイヤロープ４にクロスクリップ８により締着して張設されている。
【００１９】
このように広範な傾斜面１においては浮き石３の形態も様々であり、高さの高い浮き石３や重く大きな浮き石３の場合には上記図１ａ、ｂに示す落石防止装置の構成を、高さが低い浮き石３や第１のワイヤロープ４の網目より小さい浮き石３などは上記図４に示す落石防止装置の構成を、それぞれ適宜組み合わせた構成の落石防止装置とすることが好ましく、このように構成することで、様々な形態の浮き石３が点在している傾斜面１における浮き石３を確実に固定でき落石を防止することができる。
【００２０】
【発明の効果】
以上説明したように、本発明に係る落石防止装置によれば、傾斜面における立木を伐採せず極力自然環境を保全した状態で浮き石を確実に固定し落石を防止することができる。
【図面の簡単な説明】
【図１】落石防止装置の平面図であって、ａは第２のワイヤロープを１本掛けで固定する例、ｂは第２のワイヤロープを網掛けして固定する例である。
【図２】図１ａのＸ−Ｘ断面図である。
【図３】クロスクリップの説明図であって、ａは平面図、ｂは側面図である。
【図４】本発明に係る実施形態の落石防止装置の平面図である。
【図５】本発明に係る別の実施形態の落石防止装置の斜視図である。
【符号の説明】
１：傾斜面              ２：立木                ３：浮き石
４：第１のワイヤロープ  ５：第２のワイヤロープ  ６, ７：支持アンカー
８：クロスクリップ
【図１】
0004054443.tif 000002
【図２】
0004054443.tif 000003
【図３】
0004054443.tif 000004
【図４】
0004054443.tif 000005
【図５】
0004054443.tif 000006